(57)【特許請求の範囲】
【請求項１】
ケース本体とフランジが設けられたケース蓋とからなる開口が設けられたケース内に収容され、ラッチバネによって付勢されたラッチボルトと、
このラッチボルトと係合され、前記ケース本体及び／又は前記ケース蓋に内設されたシャフトを介して回転する、角孔が設けられたラッチカムとからなり、
このラッチカムの回転に伴ってラッチボルトのラッチヘッドが前記ケースの開口から出没可能とするラッチにおいて、
フットバーを、差込部と、これに続く水平部と、これに続くループ部と、これに続く垂下部で構成し、このフットバーの差込部は、前記シャフトとして用いるために前記ケースの外側から前記角孔に挿通され、
取付具を、ベース板及びこのベース板の両側から直角方向に延出した延出板からなる断面コ字形部材と、一片及び他片からなる断面Ｌ字形部材とからなり、
前記ベース板には開口が設けられ、前記両延出板の端部には切込部が形成され、前記一片には固定孔が穿設され、前記他片が前記ベース板の外側に固定されることによって断面コ字形部材と断面Ｌ字形部材が一体化された構成とし、この取付具の前記固定孔と、前記ケース蓋のフランジに穿設された固定孔に固定具が挿入されており、前記ケースに前記取付具が固定されたことを特徴としたラッチを利用した自動施錠装置。
【請求項２】
ケース本体とフランジが設けられたケース蓋とからなり、開口が設けられ、切欠きを有する支持板が内設され、さらに、前記ケース本体及び／又は前記ケース蓋の内側壁にシャフトが設けられたケースと、
このケースに内設された前記支持板に一方端が接触するラッチバネによって付勢され、前記切欠きを移動可能に配置されたラッチボルトと、
このラッチボルトのラッチエンド部と係合され、前記ケース内において移動可能に配置された移動枠と、
この移動枠内に配置され、前記ケース本体及び／又は前記ケース蓋に内設されたシャフトを介して回転する、角孔が設けられた楕円形状のラッチカムとからなり、
このラッチカムの回転に伴い移動枠が移動することによって前記ラッチボルトのラッチヘッドが前記ケースの開口から出没可能とするラッチにおいて、
フットバーを、差込部と、これに続く水平部と、これに続くループ部と、これに続く垂下部で構成し、このフットバーの差込部は、前記シャフトとして用いるために前記ケースの外側から前記角孔に挿通され、
取付具を、ベース板及びこのベース板の両側から直角方向に延出した延出板からなる断面コ字形部材と、一片及び他片からなる断面Ｌ字形部材とからなり、
前記ベース板には開口が設けられ、前記両延出板の端部には切込部が形成され、前記一片には固定孔が穿設され、前記他片が前記ベース板の外側に固定されることによって断面コ字形部材と断面Ｌ字形部材が一体化された構成とし、この取付具の前記固定孔と、前記ケース蓋のフランジに穿設された固定孔に固定具が挿入されており、前記ケースに前記取付具が固定されたことを特徴としたラッチを利用した自動施錠装置。
【請求項３】
廃棄物処理容器の本体を載置する台座部と、
この台座部に設けられた脚部と、
廃棄物処理容器の蓋体を支持する蓋体支持部と、
この蓋体支持部と連結され、該蓋体支持部を開閉する開閉ロッドと、
この開閉ロッドと連結され、一方側にペダル部が設けられ、これに続くロッド部からなるペダルロッドとからなり、
このペダルロッドのペダル部を足で踏むと開閉ロッドが上昇し、ペダル部から足を離すと開閉ロッドが降下する構成の廃棄物処理容器用スタンドにおいて、
前記ケースの開口から出没可能な前記ラッチヘッドが、上下動する前記ペダルロッドのロッド部の上方又は下方に位置する状態となるように廃棄物処理容器用スタンドに固定された請求項１又は請求項２に記載のラッチを利用した自動施錠装置が固定された廃棄物処理容器用スタンド。
【請求項４】
廃棄物処理容器の本体を載置する台座部と、
この台座部の底面に設けられた脚部と、
前記台座部の平面から鉛直上方向に立設された枠体支持部によって支持される枠体部と、
前記台座部の背面から鉛直上方向に立設された支柱部と、
この支柱部と蝶番を介して連結された蓋体支持部と、
この蓋体支持部に設けられた、廃棄物処理容器の蓋体を挟持する挟持部と、
前記台座部の略中央底面から垂下したペダルロッド支持部と、
前記台座部の正面側底面から垂下し、ペダルロッドの可動に合わせたガイド溝が設けられたペダルロッドガイド部と、
一方側にペダルが設けられ、これに続くロッド部からなるペダルロッドと、
このペダルロッドの他方側と連結される開閉ロッドとからなり、
前記ペダルロッドが前記ペダルロッドガイド部のガイド溝に挿通されており、前記ペダルロッド支持部に支持され、
前記開閉ロッドの上方が前記蓋体支持部に連結され、
前記ペダルロッドのペダル部を足で踏むと前記ロッド部が降下し、前記開閉ロッドが上昇し、ペダル部から足を離すと前記開閉ロッドが降下し、前記ロッド部が上昇する構成の廃棄物処理容器用スタンドにおいて、
前記ケースの開口から出没可能な前記ラッチヘッドが、上下動する前記ペダルロッドのロッド部の上方又は下方に位置する状態となるように廃棄物処理容器用スタンドに固定された請求項１又は請求項２に記載のラッチを利用した自動施錠装置が固定された廃棄物処理容器用スタンド。
【請求項５】
前記脚部にキャスターが設けられたことを特徴とした請求項３又は請求項４に記載のラッチを利用した自動施錠装置が固定された廃棄物処理容器用スタンド。
【請求項６】
前記廃棄物処理容器用スタンドへの前記自動施錠装置の固定は、前記ペダルロッド支持部と前記切込部が溶接にて接合されることを特徴とする請求項３、請求項４、請求項５のうちいずれかに記載のラッチを利用した自動施錠装置が固定された廃棄物処理容器用スタンド。
【発明の詳細な説明】
【技術分野】
【０００１】
本発明は、主に医療関連機関内において生じる感染性廃棄物を入れる廃棄物処理容器用スタンドに使用する自動施錠装置及び自動施錠装置を使用した廃棄物処理容器用スタンドに関する。
【背景技術】
【０００２】
病院、保健所、血液センター、診療所、衛生検査所、介護老人保健施設、助産所、動物の診療施設及び試験研究機関等の医療関係機関内においては、感染性廃棄物（人が感染し、又は感染するおそれのある病原体が含まれ、若しくは付着している廃棄物又はこれらのおそれのある廃棄物）について、その適正な処理が厳格に求められ、誤った処理をしてしまうと二次感染の可能性があり大変危険である。
【０００３】
感染性廃棄物の処理にあっては、二次感染を防止するため、感染性廃棄物を蓋の付いた感染性廃棄物処理容器に入れて密閉することが有効であるが、その際、蓋や容器に手を触れずに処理するのが望ましく、蓋や容器に直接手を触れることなく蓋を開閉出来るペダル式のスタンドが広く用いられている。その一例として、例えば、下記のような文献１が挙げられる。
【先行技術文献】
【特許文献】
【０００４】
文献１は、廃棄物収納容器（Ａ）の本体を載置する台座（１）と、該台座（１）の背面側に立設された支柱部（２）と、この支柱部（２）の上部基端部に回動自在に取り付けられ、先端部に前記容器（Ａ）の蓋体持手部分（Ｃ）を着脱自在に掴持する掴持部（８）を有する蓋体支持部（５）と、先端に足ふみペダル（９）を備え、中間部を前記台座（１）に回動自在に支持された開閉ペダルロッド（７）と、この開閉ペダルロッド（７）の後端部と前記蓋体支持部（５）の基端部にそれぞれ回動自在に連結される開閉ロッド（６）とを備えた「医療廃棄物収納容器用ホルダ」である。
【０００５】
【特許文献１】特開２００５−１１０９９９
【発明の概要】
【発明が解決しようとする課題】
【０００６】
しかし、文献１に係る発明は、ペダルを足でふむだけで医療廃棄物処理容器の蓋を簡単に開けることができ便利であるが、例えば、近傍で作業をする人が不用意にペダルに足をかけたり、子供のいたずら、認知症の老人による誤操作によってペダルが踏み込まれ、医療廃棄物処理容器の蓋が開放される等、本来開放すべきでないときに簡単に蓋を開放してしまうというおそれがあり、二次感染の可能性が生じるという問題がある。
【課題を解決するための手段】
【０００７】
そこで、本発明の目的は、ペダルを踏み込むだけでは蓋が開かないように構成した廃棄物処理容器用スタンド用の自動施錠装置及びこの自動施錠装置を使用した廃棄物処理容器用スタンドを提供するものである。
【０００８】
請求項１の発明は、ケース本体とフランジが設けられたケース蓋とからなる開口が設けられたケース内に収容され、ラッチバネによって付勢されたラッチボルトと、
このラッチボルトと係合され、前記ケース本体及び／又は前記ケース蓋に内設されたシャフトを介して回転する、角孔が設けられたラッチカムとからなり、
このラッチカムの回転に伴ってラッチボルトのラッチヘッドが前記ケースの開口から出没可能とするラッチにおいて、
フットバーを、差込部と、これに続く水平部と、これに続くループ部と、これに続く垂下部で構成し、このフットバーの差込部は、前記シャフトとして用いるために前記ケースの外側から前記角孔に挿通され、
取付具を、ベース板及びこのベース板の両側から直角方向に延出した延出板からなる断面コ字形部材と、一片及び他片からなる断面Ｌ字形部材とからなり、
前記ベース板には開口が設けられ、前記両延出板の端部には切込部が形成され、前記一片には固定孔が穿設され、前記他片が前記ベース板の外側に固定されることによって断面コ字形部材と断面Ｌ字形部材が一体化された構成とし、この取付具の前記固定孔と、前記ケース蓋のフランジに穿設された固定孔に固定具が挿入されており、前記ケースに前記取付具が固定されたことを特徴としたラッチを利用した自動施錠装置である。
【０００９】
請求項２の発明は、ケース本体とフランジが設けられたケース蓋とからなり、開口が設けられ、切欠きを有する支持板が内設され、さらに、前記ケース本体及び／又は前記ケース蓋の内側壁にシャフトが設けられたケースと、
このケースに内設された前記支持板に一方端が接触するラッチバネによって付勢され、前記切欠きを移動可能に配置されたラッチボルトと、
このラッチボルトのラッチエンド部と係合され、前記ケース内において移動可能に配置された移動枠と、
この移動枠内に配置され、前記ケース本体及び／又は前記ケース蓋に内設されたシャフトを介して回転する、角孔が設けられた楕円形状のラッチカムとからなり、
このラッチカムの回転に伴い移動枠が移動することによって前記ラッチボルトのラッチヘッドが前記ケースの開口から出没可能とするラッチにおいて、
フットバーを、差込部と、これに続く水平部と、これに続くループ部と、これに続く垂下部で構成し、このフットバーの差込部は、前記シャフトとして用いるために前記ケースの外側から前記角孔に挿通され、
取付具を、ベース板及びこのベース板の両側から直角方向に延出した延出板からなる断面コ字形部材と、一片及び他片からなる断面Ｌ字形部材とからなり、
前記ベース板には開口が設けられ、前記両延出板の端部には切込部が形成され、前記一片には固定孔が穿設され、前記他片が前記ベース板の外側に固定されることによって断面コ字形部材と断面Ｌ字形部材が一体化された構成とし、この取付具の前記固定孔と、前記ケース蓋のフランジに穿設された固定孔に固定具が挿入されており、前記ケースに前記取付具が固定されたことを特徴としたラッチを利用した自動施錠装置である。
【００１３】
請求項３の発明は、廃棄物処理容器の本体を載置する台座部と、
この台座部に設けられた脚部と、
廃棄物処理容器の蓋体を支持する蓋体支持部と、
この蓋体支持部と連結され、該蓋体支持部を開閉する開閉ロッドと、
この開閉ロッドと連結され、一方側にペダル部が設けられ、これに続くロッド部からなるペダルロッドとからなり、
このペダルロッドのペダル部を足で踏むと開閉ロッドが上昇し、ペダル部から足を離すと開閉ロッドが降下する構成の廃棄物処理容器用スタンドにおいて、
前記ケースの開口から出没可能な前記ラッチヘッドが、上下動する前記ペダルロッドのロッド部の上方又は下方に位置する状態となるように廃棄物処理容器用スタンドに固定された請求項１又は請求項２に記載のラッチを利用した自動施錠装置が固定された廃棄物処理容器用スタンドである。
【００１４】
請求項４の発明は、廃棄物処理容器の本体を載置する台座部と、
この台座部の底面に設けられた脚部と、
前記台座部の平面から鉛直上方向に立設された枠体支持部によって支持される枠体部と、
前記台座部の背面から鉛直上方向に立設された支柱部と、
この支柱部と蝶番を介して連結された蓋体支持部と、
この蓋体支持部に設けられた、廃棄物処理容器の蓋体を挟持する挟持部と、
前記台座部の略中央底面から垂下したペダルロッド支持部と、
前記台座部の正面側底面から垂下し、ペダルロッドの可動に合わせたガイド溝が設けられたペダルロッドガイド部と、
一方側にペダルが設けられ、これに続くロッド部からなるペダルロッドと、
このペダルロッドの他方側と連結される開閉ロッドとからなり、
前記ペダルロッドが前記ペダルロッドガイド部のガイド溝に挿通されており、前記ペダルロッド支持部に支持され、
前記開閉ロッドの上方が前記蓋体支持部に連結され、
前記ペダルロッドのペダル部を足で踏むと前記ロッド部が降下し、前記開閉ロッドが上昇し、ペダル部から足を離すと前記開閉ロッドが降下し、前記ロッド部が上昇する構成の廃棄物処理容器用スタンドにおいて、
前記ケースの開口から出没可能な前記ラッチヘッドが、上下動する前記ペダルロッドのロッド部の上方又は下方に位置する状態となるように廃棄物処理容器用スタンドに固定された請求項１又は請求項２に記載のラッチを利用した自動施錠装置が固定された廃棄物処理容器用スタンドである。
【００１５】
請求項５の発明は、前記脚部にキャスターが設けられたことを特徴とした請求項３又は請求項４に記載のラッチを利用した自動施錠装置が固定された廃棄物処理容器用スタンドである。
【００１６】
請求項６の発明は、前記廃棄物処理容器用スタンドへの前記自動施錠装置の固定は、前記ペダルロッド支持部と前記切込部が溶接にて接合されることを特徴とする請求項３、請求項４、請求項５のうちいずれかに記載のラッチを利用した自動施錠装置が固定された廃棄物処理容器用スタンドである。
【発明の効果】
【００１７】
請求項１によれば、簡素な構成によりラッチヘッドの設定及び解除が可能であるため、製造が容易であり、また、安価に製造することができる。
【００１８】
請求項２の発明によれば、移動枠を構成要素とし、この移動枠の移動によってラッチボルトを移動させるものであるため、容易、かつ、確実にラッチヘッドの設定及び解除が可能である。
請求項３の発明によれば、市販品を利用するものであるため、低コストで製造できる。
【００１９】
請求項４の発明によれば、フットバーを、ラッチカムの角孔に差し込まれる差込部と、これに続く水平部と、これに続くループ部と、これに続く垂下部から構成されているため、本発明を確実、かつ、安全に操作することができる。
【００２０】
請求項５の発明によれば、取付具のコ字形部材の両延出部の端部に設けた切込部によって、自動施錠装置を廃棄物処理容器用スタンドに固定する際の位置決めが容易となり、また、自動施錠装置を廃棄物処理容器用スタンドに強固に固定することができる。
【００２１】
請求項６、請求項７の発明によれば、簡素な構成の廃棄物処理容器用スタンドに自動施錠装置を固定しているため、製造が容易、かつ、安価に製造することができ、また、フットバーを足で回転させ自動施錠装置のラッチボルト（ラッチヘッド）を解除しない限りペダルを踏み込むことができないので、本来開放すべきでないときに廃棄物処理容器の蓋体を開放することを防止することができる。
【００２２】
請求項８の発明によれば、廃棄物処理容器用スタンドの脚部にキャスターを設けているため、廃棄物処理容器用スタンドを容易に移動させることができる。
【００２３】
請求項９の発明によれば、ペダルロッド支持部と切込部が溶接にて接合されるため、自動施錠装置を廃棄物処理容器用スタンドに強固に固定することができる。
【図面の簡単な説明】
【００２４】
【図１】図１は、設定した状態の自動施錠装置の正面図である。
【図２】図２は、解除した状態の自動施錠装置の正面図である。
【図３】図３は、設定した状態の自動施錠装置の内部構造図である。
【図４】図４は、解除した状態の自動施錠装置の内部構造図である。
【図５】図５は、取付具の斜視図である。
【図６】図６は、フットバーの側面図である。
【図７】図７は、ペダルロッドがラッチヘッドの上方に位置する状態の左側面図である。
【図８】図８は、ペダルロッドがラッチヘッドの下方に位置する状態の左側面図である。
【図９】図９は、自動施錠装置を固定した廃棄物処理容器用スタンドの正面図である。
【図１０】図１０は、自動施錠装置を固定した廃棄物処理容器用スタンドの左側面図である。
【図１１】図１１は、図９の廃棄物処理容器用スタンドに廃棄物処理容器を載置した状態の図である。
【図１２】図１２は、図１０の廃棄物処理容器用スタンドに廃棄物処理容器を載置した状態の図である。
【図１３】図１３は、本発明の最初の状態の平面図である。
【図１４】図１４は、ペダルに足を乗せた状態の平面図である。
【図１５】図１５は、フットバーを足で回転させた状態の平面図である。
【図１６】図１６は、フットバーから足を離した状態の平面図である。
【発明を実施するための形態】
【００２５】
本発明は、医療関連機関内において生じる「感染性廃棄物」を入れる廃棄物処理容器用スタンドに使用する自動施錠装置、及びこの自動施錠装置を使用した廃棄物処理容器用スタンドに関する。なお、ここで、「感染性廃棄物」は、主に医療行為等により廃棄物となった脱脂綿、ガーゼ、包帯、ギブス、紙おむつ、注射針、注射筒、輸液点滴セット、体温計、試験管等の検査器具、有機溶剤、血液、臓器・組織等のうち、人が感染し、若しくは感染するおそれのある病原体が含まれ、若しくは付着し、又はこれらのおそれのあるものである。本発明を実施するための形態を以下に示す。
【００２６】
本発明に係る自動施錠装置においては、ドアを開閉するための一般的な機構である、ドアラッチ、すなわち、ラッチ機構を利用するものであり、このラッチ機構に関しては、本発明の目的を奏することができればどのような構成のものであってもよい。その構成物品の一例としては、例えば、ケース本体２ａとケース蓋２ｂとからなるケース２、このケース２に収容されるラッチボルト７、ラッチカム１２、ラッチバネ８、フットバー１９、取付具２０等が挙げられる。
【００２７】
まず、第一実施例の自動施錠装置１について説明する。
第一実施例と第二実施例の共通の構成については共通の符号を付している。
ケース２の側面２ｄに開口２ｄ１を設けたケース２内に収容され、ラッチバネ８によって付勢されたラッチボルト７が、ラッチカムと係合する。このラッチカムは、ケース２に内設したシャフトを介して回転する。そして、このラッチカム１２の回転に伴ってラッチボルト７のラッチヘッド３がケース２の開口２ｄ１から出没可能とする。
【００２８】
ここで、ラッチボルト７は、前方のラッチヘッド３、本体部５、そして本体部５より膨出する後方のエンド部６からなる。また、ラッチカムは、例えば、本体部と、アーム部からなり、本体部には角孔１１を設け、アーム部にはラッチボルト７の本体部５が摺動可能な孔を設ける。そして、ケースの外側から角孔１１にフットバー１９を挿通し、また、ケースに取付具２０を固定する。
【００２９】
自動施錠装置１の構成物品の配置について説明する。
ラッチボルト７は、ケース２の開口２ｄ１からラッチヘッド３が突出する位置に配置することによって、ケース２に内設した支持板２ｈの切欠き２ｈ１に本体部５が配置される。一方、ラッチカムは、ケース本体２ａ及び／又はケース蓋２ｂの内側壁２ｅに設けたシャフトに回転自在に設けられ、かつ、アーム部の孔にラッチボルト７の本体部５を挿通し、ラッチボルト７の本体部５がこのアーム部の孔に沿って摺動可能に配置される。この状態のとき、ラッチヘッド３の本体部５にはラッチバネ８が組み込まれる。そして、このラッチバネ８は、一方端が支持板２ｈの後面に接触し、また、他方端がラッチカムのアーム部に接触する。このラッチバネ８によってラッチボルト７が設定位置に向けて付勢されている。
【００３０】
ラッチボルト７の本体部５より膨出するラッチボルト７の後端のエンド部６の構成の一例として、例えば、ラッチボルト７の本体部５の後方側とエンド部６をネジ式とすることによって、ラッチボルト７の本体部５をアーム部の孔に挿通後にエンド部６にネジ締めを行う構成等が考えられる。ここで、ラッチボルト７のエンド部６の外径はラッチカム１２のアーム部の孔の外径より大きい構成とするため、アーム部の孔に挿通したラッチボルト７の本体部５が抜けることがない。
【００３１】
ラッチボルト７とラッチカムの係合に関しては、ラッチカムの回転によりラッチボルト７のラッチヘッド３がケース２の開口２ｄ１から出没可能となればどのような構成、関係のものであってもよい。記述したような摺動する構成の他、例えば、ラッチボルト７、ラッチカム共に爪部を有し、この爪部が係合するような構成であってもよい。
【００３２】
第二実施例の自動施錠装置１について説明する。
ケース２は、分割可能なケース本体２ａとケース蓋２ｂとを組み合わせることにより直方体又は正方形で構成されている。また、図３、図４等では、ケース蓋２ｂにフランジ２ｂ１を設け、このフランジ２ｂ１に四箇所の固定孔２ｂ２を穿設する構成としている。これはドアを開閉する市販の「ドアラッチ」を使用しているためこのような構成としているが、本発明の効果を奏するものであればこれらの構成がなくてもよい。なお、ケース本体２ａとケース蓋２ｂとの固定は、カシメ等により行うのが望ましい。
【００３３】
ケース２の側面２ｄには、ラッチボルト７のラッチヘッド３を突出させる開口２ｄ１を設けており、また、ケース本体２及び／又はケース蓋２ｂの内側壁２ｅには図示しないシャフトが設けられている。さらには、ケース２には切欠き２ｈ１を有する支持板２ｈを内設する。具体的には、ケース本体２内に配置されるラッチボルト７と直交する方向に支持板２ｈを内設する。また、切欠き２ｈ１の他、挿通孔を設ける構成であってもよい。要は、挿通孔であっても切欠き２ｈ１であっても、後述するように、そこをラッチボルト７が図１、図２のように左右方向へ移動可能となればどのような構成であってもよい。
【００３４】
ラッチボルト７の構成等に関しては、前方のラッチヘッド３、本体部５、そして本体部５の後方のエンド部６からなる。エンド部６に関しては、第一実施例と同様の構成の他、図３等で図示したように、エンド部６の径をラッチボルト７の本体部５の径とほぼ同径とし、エンド部６に引掛け６ａを設ける構成であってもよい。また、ラッチボルト７のラッチヘッド３にラッチバネの多方端８ｂ側を収納する凹部を設ける構成であってもよい。
【００３５】
ラッチカム１２は、楕円形状とする。このラッチカム１２にはケース本体２の外側からフットバー１９を挿入可能な角孔１１を設ける。
移動枠９は、少なくとも一部に切欠き９ａ、引掛け９ｂを有する枠体であり、互いに対向する二面を開放面に形成している。
【００３６】
第二実施例の自動施錠装置１の構成物品の配置について説明する。
ラッチボルト７は、ケース２の側面２ｄに設けた開口２ｄ１からラッチヘッド３が突出する位置に配置することによって、支持板２ｈの切欠き２ｈ１に本体部５が配置される。このとき、ラッチボルト７の引掛け６ａは移動枠９内に配置されるが、具体的には、移動枠９の内周面、具体的には引掛け９ｂの内面にラッチボルト７のエンド部６の引掛け６ａが係合する状態で配置される。
【００３７】
ラッチヘッド３の本体部５にはラッチバネ８が組み込まれる。そして、このラッチバネ８は、一方端８ａが支持板２ｈの前面２ｈ２に接触し、また、他方端８ｂがラッチヘッド３の凹部の端部３ｂに接触する。このラッチバネ８によってラッチボルト７が設定位置に向けて付勢されている。なお、例えば、支持板２ｈの前面２ｈ２に図示しない座金を介在し、この座金にラッチバネ８の一方端８ａを接触させる構成であってもよい。
【００３８】
移動枠９がケース２内において左右方向へ移動可能に配置される。このケース２内に配置される移動枠９は、例えば、ケース本体２ａに凸溝を内設し、移動枠９に凹溝設け、これらの溝に沿って移動枠９が左右方向へ移動する構成等が考えられる。また、ケース２内の両側において移動枠９を挟むようにして肉盛部を設け、この肉盛部の間に移動枠９を配置し、両肉盛部に沿って移動枠９が左右方向へ摺動する構成等も考えられる。
【００３９】
一方、ラッチカム１２は、ケース本体２ａ及び／又はケース蓋２ｂの内側壁２ｅに設けた図示しないシャフトに回転自在に設けられ、かつ、移動枠９内に配置される。
【００４０】
上述したように、移動枠９内には、ラッチカム１２やラッチボルト７のエンド部６が配置され、このラッチカム１２とラッチボルト７のエンド部６の間にはクリアランスを有する。これらの状態を図示したのが図３である。また、ケースの外側から角孔１１にフットバー１９を挿通し、また、ケースに取付具２０を固定する。
【００４１】
フットバー１９は、ラッチカム１２の角孔１１に差し込まれる差込部１９ａと、これに続く水平部１９ｂと、これに続くループ部１９ｃと、これに続く垂下部１９ｄからなる。このフットバー１９の各部は、１本の棒材を曲げて形成してもよいし、複数本の部材を溶接等により接合して形成してもよい。また、差込部１９ａと水平部１９ｂの径と、ループ部１９ｃと垂下部１９ｄの径が違う構成であってもよい。例えば、強度を考慮して、ループ部１９ｃと垂下部１９ｄの径よりも差込部１９ａと水平部１９ｂの径のほうが太い構成であってもよい。溶接としては、例えば、アーク溶接、トーチ溶接、ろう付等を用いることができる。１本の棒材を曲げて形成した場合、フットバー１９にペダル等の他の部材を介すことなく製造できるため、部品点数の減少により安価に製造できる。
【００４２】
また、このフットバー１９は、垂下部１９ｄを構成要素としているが、この垂下部１９ｄは、所定の長さを有するものである。具体的には、図８で図示したように、ペダル４１ａを踏んでロッド部４１ｂが降下した場合、ロッド部４１ｂの上面４１ｂ１が垂下部１９ｄの下端１９ｄ１よりも上に位置する構成とする。このような構成とすることによって、ペダル４１ａを踏んだ際、ロッド部４１ｂの上面４１ｂ１が垂下部１９ｄの下端１９ｄ１の間で操作者の足やサンダル、被服等を挟むことがない。
【００４３】
このフットバー１９を足６０の適所で回転させることによって自動施錠装置１の設定を解除するものである。具体的には、ラッチカム１２の角孔１１に挿入したフットバー１９を所定の角度回転させた場合は、楕円形のラッチカム１２も所定の角度回転、傾斜する。この状態を図示したのが図４である。なお、この傾斜の最大角度は、使用するドアラッチによって様々であるが、例えば、左右最大角度略５０°の回転でラッチボルト７（ラッチヘッド３）が略１０ｍｍが作動する構造とするもの等が挙げられる。
【００４４】
そして、この楕円形のラッチカム１２が所定の角度回転、傾斜することによって移動枠９が左方向へ引っ張られることによって移動し、移動枠９の引掛け９ｂでラッチボルト７のエンド部６が引っ張られることによってラッチボルト７のラッチヘッド３がケース２内に収納され、設定が解除される。
【００４５】
本発明に係る自動施錠装置１の動作を簡単に説明すると、図１３、図１４で図示したように、フットバー１９を回転させていない状態のときには、ケース２本体の開口２ｄ１からラッチヘッド３が突出しており、フットバー１９を図１６に点線で示すように回転させることにより突出していたラッチヘッド３がケース２内に収容される。
【００４６】
第三実施例の自動施錠装置１について説明する。
自動施錠装置１のドアラッチがタキゲン製造株式会社の商品「角型ラッチ（商品番号Ｃ−１６８）以下、単にＣ−１６８とする。」であることを特徴とするものである。
主に、側面２ｄに開口２ｄ１を設けたケース２内に収容され、ラッチバネ８によって付勢されたラッチボルト７と、このラッチボルト７と係合し、ケース２に内設した図示しないシャフトを介して回転する、角孔１１を設けたラッチカム１２とからなり、このラッチカム１２の回転に伴ってラッチボルト７のラッチヘッド３がケース２の開口２ｄ１から出没可能とするものである。
【００４７】
第三実施例では、ケース蓋２ｂにフランジ２ｂ１を設け、このフランジ２ｂ１に四箇所の固定孔２ｂ２を穿設する構成としている。なお、ケース本体２ａとケース蓋２ｂとの固定は、カシメ等により行うのが望ましい。また、ケースの外側から角孔１１にフットバー１９を挿通し、また、ケースに取付具を固定する。
【００４８】
本発明者らは、第三実施例のタキゲン製造株式会社の商品であるＣ−１６８の耐久性を評価するために、実施例の試料Ｎｏ．１、Ｎｏ．２、Ｎｏ．３を用いて、耐久試験を行った。
【００４９】
試験方法としては、治具にＣ−１６８を取付け、このＣ−１６８のカムの角穴に配置した角軸を介し、同社の商品である「レバー（商品番号Ａ−１０３−５）」を組み合わせ、このレバーを可動することによって行い、Ｃ−１６８のラッチの押込力を試験前、試験後で測定した。試験条件としては下記のとおりである。
【００５０】
試験回数：５万回
ラッチストローク：９ｍｍ
試験機速度：４０回／分
【００５１】
本耐久試験より、試料Ｎｏ．１、Ｎｏ．２、Ｎｏ．３の全てにおいて、ラッチの作動については、試験後もレバーは正常に復帰し、また、ラッチの押込力も試験前・試験後で大きな差異を発生しなかった。
この５万回の可動における本耐久試験より、試験後の現品は、使用上有害な変形・破損はなかったことが明らかになった。
【００５２】
自動施錠装置１のケース本体２に固定した取付具２０について説明する。
この取付具２０は、自動施錠装置１を廃棄物処理容器用スタンド５０に取り付けるためのものである。この構成としては、ベース板２１と、このベース板２１の両側から直角方向に延出した延出板２２からなる断面コ字形部材２３と、一片及び他片とからなる断面Ｌ字形部材２４からなり、Ｌ字形部材２４の他片をコ字形部材２３のベース板２１の外側２１ｂに固定する構成としている。
【００５３】
Ｌ字形部材２４のベース板２１への固定は、強度面を考慮すると、各種溶接によって固着するのが望ましい。その他、リベット、ネジ等の緊締具で行う等も考えられる。溶接としては、例えば、アーク溶接、トーチ溶接、ろう付等を用いることができる。なお、コ字形部材２３と、Ｌ字形部材２４で構成する取付具２０は、廃棄物処理容器用スタンド５０の取付部分に合わせた材料による鋳造による一体成型であってもよい。
【００５４】
ベース板２１にはラッチヘッド３を出没させる開口２１ａを設ける。また、両延出板２２、２２の端部２２ａに位置決めのための切込部２２ａ１を形成する。
Ｌ字形部材２４の一片には、固定孔を穿設する。
【００５５】
取付具２０のケース２への取付け方法の一例としては、例えば、ケース蓋２ｂに穿設した固定孔２ｂ２と、Ｌ字形部材の固定孔に固定具を挿入して本体ケースに取付具を設けることが考えられる。その他、リベット等による取付けも挙げられる。
【００５６】
取付具２０を設けた自動施錠装置１の廃棄物処理容器用スタンド５０への取付け方法としては、延出板２２に設けた切込部２２ａ１を廃棄物処理容器用スタンド５０のペダルロッドガイド部３６に篏合させ、取り付ける。
【００５７】
この取付けは、強度面を考慮すると、各種溶接によってペダルロッドガイド部３６に取り付けるのが望ましい。溶接としては、例えば、アーク溶接、トーチ溶接、ろう付等を用いることができる。被取付部材の材質により、溶接方法を選択して行うことが望ましい。
【００５８】
廃棄物処理容器用スタンド５０について説明する。
自動施錠装置１を使用した廃棄物処理容器用スタンド５０は、その構成する物品を大別すると、台座部３０、脚部３１、ペダルロッド４１、開閉ロッド３８、蓋体支持部４２、挟持部４３等からなる。
台座部３０には廃棄物処理容器１００の本体１０１を載置する。この台座部３０には脚部３１を設ける。
【００５９】
廃棄物処理容器１００の蓋体１０２を支持する蓋体支持部４２と、この蓋体支持部４２を開閉する開閉ロッド３８が連結する。そして、一方側にペダル４１ａを設け、これに続くロッド部４１ｂからなるペダルロッド４１と開閉ロッド３８が連結する。
このペダルロッド４１のペダル４１ａを足で踏むと開閉ロッド３８が上昇し、ペダル４１ａから足を離すと開閉ロッド３８が降下する。
【００６０】
そして、自動施錠装置１の廃棄物処理容器用スタンド５０への固定は、ケース２の開口及びベース板２１の開口２１ａから出没可能なラッチヘッド３がペダルロッド４１の近傍に位置するように固定する。
【００６１】
廃棄物処理容器用スタンド５０において自動施錠装置１を固定する部材がない場合は、例えば、板状部材を介在させることによって固定する。例えば、上下動するペダルロッド４１がラッチヘッド３の上方又は下方に位置する状態となるように、台座部３０の裏面の適所から板状部材を垂下させ、この板状部材に自動施錠装置１を固定する方法が考えられる。
【００６２】
その他の例の廃棄物処理容器用スタンド５０について説明する。
自動施錠装置１を使用した廃棄物処理容器用スタンド５０は、その構成する物品を大別すると、台座部３０、脚部３１、支柱部３５、枠体部３３、ペダル４１ａ、ペダルロッド４１、ペダルロッド支持部３７、ペダルロッドガイド部３６、開閉ロッド３８、蓋体支持部４２、挟持部４３、蝶番４６等からなる。
【００６３】
台座部３０は、廃棄物処理容器１００を載置するためのものであり、この台座部３０の大きさ、形状等は廃棄物処理容器１００の大きさ、形状等に合わせて適宜選択することができる。
【００６４】
台座部３０には廃棄物処理容器１００を保持する枠体部３３を設ける。この枠体部３３は、台座３０から鉛直上方向に複数立設した枠体支持部３４によって支持される。この枠体部３３の大きさ、形や枠体支持部３４の大きさ、形状等も廃棄物処理容器１００の大きさ、形状等に合わせて適宜選択することができる。
【００６５】
台座部３０の底面、又は側面には脚部３１を設けている。更には、廃棄物処理容器用スタンド５０の移動を容易にするために脚部３１にキャスター３２を設けることもできる。
【００６６】
台座部３０の背面側、又は平面から鉛直上方向に支柱部３５を立設する。この支柱部３５は、図９の正面図のように適宜間隔をあけて２本立設する構成が考えられる。このように支柱部３５を２本立設する構成とした場合、２本の支柱部３５の上端側に板材を介して連結する構成等が考えられる。そして、この支柱部３５に設けた板材と蓋体支持部４２が蝶番４６を介して連結する。支柱部３５に板材を介さない場合は、支柱３５と蓋体支持部４２は蝶番４６を介して連結する。また、支柱部３５を１本とする構成であってもよい。
【００６７】
台座部３０の略中央底面から鉛直下方向にペダルロッド支持部３７が垂下する。ペダルロッド支持部３７の下方側には、ペダルロッド連結孔３７ａを設ける。
台座部３０の正面側底面から鉛直下方向にペダルロッドガイド部３６が垂下する。具体的には、側面視してペダルロッド支持部３７と前側の脚部３１との間にペダルロッドガイド部３６が垂下する。このペダルロッドガイド部３６には、ペダル４０を踏み込んだ際のペダルロッド４１の可動に合わせたガイド溝３６ａを設け、このガイド溝３６ａにペダルロッド４１が挿通する構成となる。
【００６８】
また、本発明である廃棄物処理容器用スタンド５０は、ペダル４０にかかった力を開閉ロッド３８、蓋体支持部４２に伝えるためのペダルロッド４１を構成要素とするが、このペダルロッド４１は、一方側にはペダル４０を設け、他方側には後述する開閉ロッド３８と連結するための開閉ロッド連結孔４１ｄを設けている。
【００６９】
また、ペダルロッド４１には、ペダルロッド支持部３７に相当する位置にペダルロッド支持部３７と連結するためのペダルロッド支持部連結孔４１ｃを設けている。一方、開閉ロッド３８の下端側には、ペダルロッド４１を締結するためのペダルロッド連結孔３８ａを設ける。
【００７０】
ペダルロッド４１の開閉ロッド連結孔４１ｄと、開閉ロッド３８のペダルロッド連結孔３８ａを介してボルト及びナットの締結具で締結することによってペダルロッド４１と開閉ロッド３８が連設する。
【００７１】
ペダルロッド４１に形成されたペダルロッド支持部連結孔４１ｃと、ペダルロッド支持部３７に形成されたペダルロッド連結孔３７ａを介してボルト及びナットの締結具で締結することによってペダルロッド４１とペダルロッド支持部３７を連設する。
【００７２】
蓋体支持部４２には、廃棄物処理容器１００の蓋体１０２を挟持するための挟持部４３を設ける。この挟持部４３は、廃棄物処理容器１００の蓋体１０２を挟持することができればどのような構成ものであってもよい。例えば、クランプを利用し、このクランプで使用する締付ボルトによって廃棄物処理容器１００の蓋体１０２を左右両側から締付ける構成等が考えられる。
【００７３】
蓋体支持部４２の裏面に断面視Ｌ字状の当設板４５を設置することもできる。この当設板４５には開閉ロッド３８を連結するための開閉ロッド連結孔４５ａを設けている。開閉ロッド３８の上端側には、当設板４５を締結するための当設板連結孔３８ｂを設ける。当設板４５の開閉ロッド連結孔４５ａと、開閉ロッド３８の当設板連結孔３８ｂを介してボルト及びナットの締結具で締結することによって、当設板４５や蓋体支持部４２と開閉ロッド３８を連設する。また、開閉ロッド３８を蓋体支持部３４に直接連設する構成であってもよい。
【００７４】
以上のように、ペダルロッド４１と開閉ロッド３８が連結し、開閉ロッド３８と蓋体支持部４２が連結するため、ペダルロッド４１の一方側に設けたペダル４０を踏むことにより、ペダルロッド４１と連設する開閉ロッド３８が上昇し、更にはこの開閉ロッド３８と連設する蓋体支持部４２が蝶番４６を介して回転する。
【００７５】
そして、自動施錠装置１の廃棄物処理容器用スタンド５０への固定は、ケース２の開口及びベース板２１の開口２１ａから出没可能なラッチヘッド３がペダルロッド４１の近傍に位置するように固定する。例えば、上下動するペダルロッド４１がラッチヘッド３の上方又は下方に位置する状態となるように、自動施錠装置１を廃棄物処理容器用スタンド５０のペダルロッドガイド部に固定する方法が考えられる。
【００７６】
次に、本発明の作動概要を平面的に図示した図１３〜図１４に基づいて説明する。
最初のセッティングとして、図１１、１２で図示したように、廃棄物処理容器１００の容器本体１０１を廃棄物処理容器用スタンド５０の台座部３０に載置し、蓋体支持部４２の挟持部４３で廃棄物処理容器１００の蓋体１０２を挟持して使用可能状態とする。
【００７７】
図１３では、本発明である自動施錠装置１の操作前の状態を図示している。
【００７８】
操作にあっては、まず、図１４で図示したように、ペダル４０に足６０を乗せる。この図１４の状態では、フットバー１９が回転しておらずラッチボルト７（ラッチヘッド３）が設定状態となっているため、ペダル４０を踏み込んでも蓋体１０２が開くことはない。
【００７９】
次に、図１５で図示したように、ペダル４１ａから足６０をずらし、フットバー１９を足６０で回転させ自動施錠装置１のラッチボルト７（ラッチヘッド３）を解除する。このときラッチヘッド３はケース本体２に収容される。
【００８０】
そして、この状態、すなわち、自動施錠装置１のラッチボルト７（ラッチヘッド３）が解除した状態のままでペダル４０を踏む。そうすると、ペダル４０にかかった力が開閉ロッド３８、蓋体支持部４２に伝わり、蓋体挟持部４２が持ち上がることによって廃棄物処理容器１００の蓋体１０２が開く。この状態において廃棄物処理容器１００の容器本体１０１に廃棄物を投入することができる。
【００８１】
図１６で図示したように、フットバー１９から足６０を離すと、ラッチバネ８の付勢によりラッチボルト７（ラッチヘッド３）が設定状態となる。この状態では、まだ足６０でペダルを踏み込んでいるため、ペダルロッド４１のロッド部４１ｂがラッチボルト７（ラッチヘッド３）よりも下に位置しており、また、蓋体１０２が開いた状態となっている。
【００８２】
そして、ペダル４０から足６０を離すと、自重により蓋体支持部４２が降下することによって蓋体１０２も降下する。また、このとき、ラッチボルト７（ラッチヘッド３）よりも下に位置していたペダルロッド４１のロッド部４１ｂがラッチヘッド３の傾斜部３ａに沿って上がり、ペダルロッド４１のロッド部４１ｂがラッチボルト７（ラッチヘッド３）よりも上に位置することとなる。この状態は、最初の状態として図示した図１３と同じ状態である。
【００８３】
この状態、すなわち、自動施錠装置１のラッチボルト７（ラッチヘッド３）が設定し、ペダルロッド４１のロッド部４１ｂがラッチボルト７（ラッチヘッド３）よりも上に位置する状態のままでペダル４０を踏んでも、ペダルロッド４１のロッド部４１ｂの下面がラッチヘッド３の上面に引っ掛かり、ペダル４０が下がることがないため、廃棄物処理容器１００の蓋１０２が開くことができない。
【００８４】
以上のように、本発明は、フットバー１９を足６０で回転させ自動施錠装置１のラッチボルト７（ラッチヘッド３）を解除した状態でペダル４０を踏み込むことによってはじめて廃棄物処理容器１００の蓋体１０２を開放できる。
【００８５】
フットバー１９から足６０を離すと自動で設定が掛かり、さらにペダル４０から足６０を外すと蓋体１０２が閉まり、設定されている状態ではペダル４０を踏んでも廃棄物処理容器１００の蓋体１０２を開けることはできない。
【００８６】
したがって、使用者は手で廃棄物処理容器１００の蓋体１０２を開閉することなく、足の操作のみで蓋体１０２を開閉することができ、なおかつ、本来開放すべきでないときに蓋体１０２を開放することを防止できる。
【００８７】
なお、既述した実施例では、解除される場合は、正面視してラッチヘッド３が左に移動し、設定される場合は、正面視してラッチヘッド３が右に移動する構成であるが、逆の場合も含まれる。具体的には、図５で図示した切込部２２ａ１を反対側の延出板２２の端部２２ａに設けた取付具２０を固定した自動施錠装置１を廃棄物処理容器用スタンド５０に固定すると、解除される場合は、正面視してラッチヘッド３が右に移動し、設定される場合は、正面視してラッチヘッド３が左に移動する構成とすることができる。
【符号の説明】
【００８８】
１：自動施錠装置
２：ケース
２ａ：ケース本体
２ｂ：ケース蓋
２ｂ１：フランジ
２ｂ２：固定孔
２ｄ：側面
２ｄ１：開口
２ｅ：内側壁
２ｈ：支持板
２ｈ１：切欠き
２ｈ２：前面
３：ラッチヘッド
３ａ：傾斜部
３ｂ：凹部の端部
５：本体部
６：エンド部
６ａ：引掛け
７：ラッチボルト
８：ラッチバネ
８ａ：一方端
８ｂ：他方端
９：移動枠
９ａ：切欠き
９ｂ：引掛け
１１：角孔
１２：ラッチカム
１９：フットバー
１９ａ：差込部
１９ｂ：水平部
１９ｃ：ループ部
１９ｄ：垂下部
１９ｄ１：下端
２０：取付具
２１：ベース板
２１ａ：開口
２１ｂ：外側
２２：延出板
２２ａ： 端部
２２ａ１：切込部
２３：コ字形部材
２４：Ｌ字形部材
３０：台座部
３１：脚部
３２：キャスター
３３：枠体部
３４：枠体支持部
３５：支柱部
３６：ペダルロッドガイド部
３６ａ：ガイド溝
３７：ペダルロッド支持部
３７ａ：ペダルロッド連結孔
３８：開閉ロッド
３８ａ：ペダルロッド連結孔
３８ｂ：当設板連結孔
４１：ペダルロッド
４１ａ：ペダル
４１ｂ：ロッド部
４１ｂ１：上面
４１ｃ：ペダルロッド支持部連結孔
４１ｄ：開閉ロッド連結孔
４２：蓋体支持部
４３：挟持部
４５：当設板
４５ａ：開閉ロッド連結孔
４６：蝶番
５０：廃棄物処理容器用スタンド
６０：足
１００：廃棄物処理容器
１０１：容器本体
１０２：蓋体
【要約】
【課題】従来より、感染性廃棄物の処理にあっては、医療廃棄物処理容器や蓋に直接手を触れることなく蓋を開閉出来るペダル式のスタンドが広く用いられているが、誤操作によってペダルが踏み込まれ、蓋が開放される等、本来開放すべきでないときに簡単に蓋を開放してしまうというおそれがあった。
【構成】本発明は、開口を設けたケース内に収容され、ラッチバネによって付勢されたラッチボルトと、このラッチボルトと係合し、前記ケースに内設したシャフトを介して回動する、角孔を設けたラッチカムとからなり、このラッチカムの回転に伴ってラッチボルトのラッチヘッドが前記ケースの開口から出没可能とするドアに使用するドアラッチにおいて、前記ケースの外側から前記角孔にフットバーを挿通し、前記ケースに取付具を固定したことを特徴としたドアラッチを利用した自動施錠装置及び医療廃棄物処理容器用スタンドを提供する。
【選択図】図１【図１】
0005936167.tif 000002
【図２】
0005936167.tif 000003
【図３】
0005936167.tif 000004
【図４】
0005936167.tif 000005
【図５】
0005936167.tif 000006
【図６】
0005936167.tif 000007
【図７】
0005936167.tif 000008
【図８】
0005936167.tif 000009
【図９】
0005936167.tif 000010
【図１０】
0005936167.tif 000011
【図１１】
0005936167.tif 000012
【図１２】
0005936167.tif 000013
【図１３】
0005936167.tif 000014
【図１４】
0005936167.tif 000015
【図１５】
0005936167.tif 000016
【図１６】
0005936167.tif 000017